(57)【特許請求の範囲】
【請求項１】
昇降路内に設けられ昇降路頂部設置物を支持する頂部支持梁と、
前記昇降路内を昇降するかごに繋がれたメインロープの一端を固定する端末固定プレートと、
前記端末固定プレートを支持する前記頂部支持梁の昇降路側側面でない側に連結され垂直方向に吊り下げられる第１のプレート支持フレームと、
前記端末固定プレートを支持する前記頂部支持梁に連結される取付ブラケットを介して前記頂部支持梁の昇降路側側面に垂直に吊り下げられ前記第１のプレート支持フレームよりも長さが短い第２のプレート支持フレームと、
を備えることを特徴とするエレベータロープ端末固定装置。
【請求項２】
前記頂部支持梁と前記第１のプレート支持フレームおよび前記第２のプレート支持フレームおよび前記取付ブラケットは、それぞれを連結させるための連結孔を備えることを特徴とする請求項１に記載のエレベータロープ端末固定装置。
【請求項３】
前記取付ブラケットは頂部支持梁の前記昇降路側側面に下端部が前記頂部支持梁の下部から突出するように取り付けられることを特徴とする請求項２に記載のエレベータロープ端末固定装置。
【請求項４】
前記取付ブラケットはL字型であり、前記取付ブラケットの一方の面を前記頂部支持梁上面に設けられた前記連結孔を介し、他方の面の下端部が前記頂部支持梁の下部から突出するように取り付けられることを特徴とする請求項２に記載のエレベータロープ端末固定装置。
【請求項５】
前記第１のプレート支持フレームおよび前記第２のプレート支持フレームに備えられた前記連結孔の上部に切り欠き部を備えたことを特徴とする請求項２に記載のエレベータロープ端末固定装置。
【請求項６】
前記第１のプレート支持フレームおよび前記第２のプレート支持フレームに複数の前記連結孔が備えられており、前記第１のプレート支持フレームおよび前記第２のプレート支持フレームに設けられた前記複数の連結孔の少なくとも１つと前記頂部支持梁および前記取付ブラケットに設けられた前記連結孔とをそれぞれ固定するボルトが前記第１のプレート支持フレームおよび前記第２のプレート支持フレームの前記複数の連結孔の間をスライドするように、前記複数の連結孔同士が前記第１のプレート支持フレームおよび前記第２のプレート支持フレームの長さ方向に結合されていることを特徴とする請求項２に記載のエレベータロープ端末固定装置。
【請求項７】
さらに前記頂部支持梁の前記第１のプレート支持フレームが連結される部分および前記取付ブラケットが前記頂部支持梁から突出する部分の少なくとも一方にシャフトを備え、
前記第１のプレート支持フレームおよび前記第２のプレート支持フレームは、前記頂部支持梁に設けられた前記シャフトおよび前記取付ブラケットに設けられた前記シャフトの位置に対応した位置に前記連結孔を有することを特徴とする請求項２に記載のエレベータロープ端末固定装置。
【発明の詳細な説明】
【技術分野】
【０００１】
本発明は、巻上機を昇降路頂部に設けた所謂マシンルームレスエレベータにおいて、頂部支持梁を配置した昇降路頂部のスペースが十分でない場合にも、ロープ端末の調整作業を容易に行うことができるエレベータロープ端末固定装置に関する。
【背景技術】
【０００２】
従来、昇降路内頂部に巻上機が設置されるマシンルームレスエレベータにおいては、巻上機等の頂部設置物は頂部支持梁によって固定されている。また、かごおよびカウンターウェイトを吊り下げるロープの両端は、頂部支持梁に設けられたロープ端末固定部で固定されている。
【０００３】
しかし、上述したエレベータでは頂部支持梁が昇降路頂部と近接して設置されているため、作業者がかご上部に乗ってロープ端末固定部の調整作業を行う際、無理な姿勢を強いられることになり作業者への負担が大きくなる恐れがある。
【０００４】
そこで、これまでにもロープ端末固定位置を頂部支持梁よりも下部に設けることが知られている（たとえば特許文献１）。このような技術にあっては、ロープの一端は頂部支持梁に設けられた案内シーブにより頂部支持梁よりも下部へ向かうように反転し、ロープの端末を昇降路内にあるかごの昇降を案内するガイドレールに備えられたエレベータロープ端末固定装置で固定する構成としている。
【先行技術文献】
【特許文献】
【０００５】
【特許文献１】特開２００９−２２０９１６号公報
【発明の概要】
【発明が解決しようとする課題】
【０００６】
上記したような従来のエレベータロープ端末固定装置においては、ロープ端末固定装置が昇降路内に設けられているかごのガイドレールに備えられていることから、構造が複雑であり、作業者によるロープ端末固定部の取付作業が困難であった。
【０００７】
したがって本発明は、上記従来の欠点を解決するためになされたもので、簡易な構成で、作業者による作業性の向上を図ることが可能なエレベータロープ端末固定装置を提供することを目的とする。
【課題を解決するための手段】
【０００８】
上記目的を達成するために本発明によるエレベータロープ端末固定装置は、昇降路内に設けられ昇降路頂部設置物を支持する頂部支持梁と、前記昇降路内を昇降するかごに繋がれたメインロープの一端を固定する端末固定プレートと、前記端末固定プレートを支持する前記頂部支持梁の昇降路側側面でない側に連結され垂直方向に吊り下げられる第１のプレート支持フレームと、前記端末固定プレートを支持する前記頂部支持梁に連結される取付ブラケットを介して前記頂部支持梁の昇降路側側面に垂直に吊り下げられ前記第１のプレート支持フレームよりも長さが短い第２のプレート支持フレームと、を備えることを特徴とする。
【発明の効果】
【０００９】
本発明によれば、簡易な構成でロープ端末固定位置を低くすることにより、作業者によるロープ端末固定部の調整作業の作業性を向上できる。
【図面の簡単な説明】
【００１０】
【図１】本発明の第１の実施形態に係るエレベータの全体構成図である。
【図２】本発明の第１の実施形態に係るエレベータロープ端末固定装置の詳細を示す斜視図である。
【図３】（ａ）本発明の第１の実施形態に係るヒッチ取付ブラケット連結部の詳細を示した正面図である。（ｂ）本発明の第１の実施形態に係るヒッチ取付ブラケットの取り付けを示した断面図である。
【図４】（ａ）本発明の第１の実施形態に係るヒッチ取付ブラケットの異なる取付例を示した正面図である。（ｂ）本発明の第１の実施形態に係るヒッチ取付ブラケットの異なる取付例を示す断面図である。
【図５】本発明の第１の実施形態に係るエレベータロープ端末固定装置のヒッチ取付ブラケットへの取り付け状態示す図である。
【図６】（ａ）本発明の第１の実施形態に係る仮置きシャフトを示すエレベータロープ端末固定装置の正面図である。（ｂ）本発明の第１の実施形態に係る仮置きシャフトを備えたマシンビームを示す断面図である。
【図７】（ａ）本発明の第１の実施形態に係る仮置きシャフトを利用したエレベータロープ端末固定装置の取り付けを示す正面図である。（ｂ）本発明の第１の実施形態に係る仮置きシャフトを利用したエレベータロープ端末固定装置の取り付けを示す断面図である。
【図８】本発明の第２の実施形態に使用されるＬ字ブラケットの取り付けを示す詳細図である。
【図９】本発明の第２の実施形態に係るエレベータロープ端末固定装置の取り付けを示す図である。
【図１０】本発明の第２の実施形態に係るエレベータロープ端末固定装置の異なる取り付け例を示す図である。
【図１１】本発明の第３の実施形態に係るヒッチフレームを示す詳細図である。
【発明を実施するための形態】
【００１１】
以下、本発明の実施形態について図面を参照して説明する。
【００１２】
（第１の実施の形態）
図１は本発明の第１の実施形態に係るエレベータの全体の構成を簡単に示した構成図である。図２は本発明の第１の実施形態に係るロープ固定端末装置を示す斜視図である。図３は本発明の第１の実施形態に係るエレベータロープ端末固定装置の詳細を示した正面図である。図４は本発明の第１の実施形態に係るエレベータロープ端末固定装置の取り付けを示す断面図である。図５（ａ）は本発明の第１の実施形態に係る仮置きシャフトを示すエレベータロープ端末固定装置の正面図である。図５（ｂ）は本発明の第１の実施形態に係る仮置きシャフトを利用したエレベータロープ端末固定装置の取り付けを示す正面図である。
【００１３】
まず、図１を用いてエレベータの構成について以下説明する。
【００１４】
図１に示すように、昇降路１の頂部には、断面Ｕ字型の部材を向き合わせて構成される頂部支持梁２（以下、マシンビーム２という。）が設けられており、マシンビーム２上には巻上機３およびメインシーブ４が取り付け配置されている。
【００１５】
さらに、マシンビーム２にはかご５を吊り下げるロープ６の一端を固定部１０１にて固定するためのエレベータロープ端末固定装置７が備えられている。また、かご５を吊り下げるロープ６端末の他方にはカウンターウェイト８が吊り下げられている。
【００１６】
巻上機３にはモータの回転を計測する図示しないパルスジェネレータが設けられている。かご５はロープ６を介して巻上機３によって昇降路１内を昇降する。
【００１７】
次に図２および図３を用いてエレベータロープ端末固定装置７の構成について説明する。
【００１８】
図２に示すように、マシンビーム２に設けられるエレベータロープ端末固定装置７は、４本のＬ字状のプレート支持フレーム９（９ａ、９ｂ、９ｃ、９ｄ）（以下、ヒッチフレーム９という。）と、ヒッチフレーム９下部に設けられるＬ字状のプレート支持梁１１ａ、１１ｂと、プレート支持梁１１ａ、１１ｂによって支持される端末固定プレート１０（以下、ヒッチプレート１０という。）とから構成される。
【００１９】
そして、ヒッチフレーム９とプレート支持梁１１ａ、１１ｂとは図示しないボルト等により固定される。即ち、各ヒッチフレーム９は、それぞれのＬ字状の角部が向かい合うように配置され、ヒッチフレーム９ａ、９ｂ間及び９ｃ、９ｄ間の下端にそれぞれプレート支持梁１１ａ、１１ｂを固定している。また、この固定されたプレート支持梁１１ａ、１１ｂ上に跨って載置されるようにヒッチプレート１０を定置し、ボルト等により固定している。
【００２０】
ヒッチフレーム９の自由端側には、それぞれ複数の連結孔１４を穿ってある。
【００２１】
また、ヒッチプレート１０にはかご吊り下げ用のロープ６を通して固定するための複数の貫通穴２１が設けられている。カウンターウェイト８側のロープ６端部は、この貫通穴２１を通り、ヒッチプレート１０上部の固定部１０１にて固定される。固定部１０１ではローブ６先端をナット等の固定具２０２にて固定し、ヒッチプレート１０と固定具２０２との間にばね２０１を設けることにより、ロープ６の鉛直下方向への荷重応力を緩衝している。
【００２２】
ここで、前記ヒッチフレーム９は長さが異なるものを用いている。具体的にはヒッチフレーム９ａと９ｂは等しい長さであり、またヒッチフレーム９ｃと９ｄは等しい長さで、かつ、ヒッチフレーム９ａ、９ｂよりも短いものを用いている。そして長いヒッチフレーム９ａ、９ｂが、対向するプレート支持梁１１ａ、１１ｂの一方側にそれぞれ配置され、短いヒッチフレーム９ｃ、９ｄが対向するプレート支持梁１１ａ、１１ｂの他方側にそれぞれ配置されている。
【００２３】
また、図３（ａ）（ｂ）に示すようにマシンビーム２には、ヒッチ取付ブラケット１２ａ、１２ｂを取り付けている。即ち、図３（ｂ）に示すように、このヒッチ取付ブラケット１２ａ、１２ｂに設けた複数の連結孔１５とマシンビーム２に設けた複数の取付孔１６との少なくとも一つを一致させ、ヒッチ取付ブラケット１２ａ，１２ｂの下端部がマシンビーム２の下方に突出するように、図示しないボルトによって取り付けている。これによって、連結部を構成している。
【００２４】
ただし、ヒッチ取付ブラケット１２ａ、１２ｂは予めマシンビーム２に溶接等により取り付けても良い。或いは、図４（ａ）（ｂ）に示すように、ヒッチ取付ブラケット１２ａ、１２ｂの上部が折り曲げ部であるＬ字型としマシンビーム２の上面に図示しないボルト等により固定する構造としてもよい。
【００２５】
そして、図５に示すように、前述したヒッチフレーム９は、昇降路１側面とは反対面のヒッチ取付ブラケット１２ａ、１２ｂおよびマシンビーム２で構成された連結部を介してマシンビーム２と連結される。
【００２６】
ヒッチフレーム９とヒッチ取付ブラケット１２ａ、１２ｂおよびマシンビーム２間は、それぞれに設けられた連結孔１４、１５、及び取付孔１６を利用して、ボルト等により連結固定する。
【００２７】
このとき、ヒッチ取付ブラケット１２ａ、１２ｂの連結孔１５は、ヒッチフレーム９ａ、９ｂとマシンビーム２が連結部によって連結されている状態において、ヒッチフレーム９ｃ、９ｄの連結孔１４と一致するような位置に設けられている。
【００２８】
具体的には、まず長いヒッチフレーム９ａ、９ｂに設けられた連結孔１４とマシンビーム２に設けられた取付孔１６とを一致させ、そこにボルトを差し込み、ナットによって固定することでマシンビーム２とヒッチフレーム９ａ、９ｂが連結される。
【００２９】
次いで、短いヒッチフレーム９ｃ、９ｄに設けられた連結孔１４とヒッチ取付ブラケット１２に設けた連結孔１５とを一致させ、そこにボルト１７を差し込み、ナットで固定することによりヒッチ取付ブラケット１２とヒッチフレーム９ｃ、９ｄが連結される。
【００３０】
本実施形態ではヒッチフレーム９ａ、９ｂ、９ｃ、９ｄ、ヒッチ取付ブラケット１２ａ、１２ｂ、マシンビーム２にそれぞれ３箇所の連結孔１４、１５，取付孔１６を設けているが、これによって、エレベータロープ端末固定装置７の取り付け高さが任意に設定できる。
【００３１】
また、本実施形態においては、マシンビーム２に取付ブラケット１２ａ、１２ｂを取り付けることとしたが、一体構成であるものでもよい。
【００３２】
その他、図６（ａ）に示すようにヒッチフレーム９の上部に連結孔１４とは別の切欠孔１９を、マシンビーム２の上部には仮置きシャフト１８を有する構成にしてもよい。この場合、仮置きシャフト１８は図６（ｂ）に示すようにマシンビーム２から突出するように設けられている。したがって、マシンビーム２に設けられた仮置きシャフト１８に対して切欠穴１９を引っ掛けることにより、図７（ａ）（ｂ）に示すようにエレベータロープ端末固定装置７をマシンビーム２に仮置きすることができる。
【００３３】
これにより作業者が一人の場合でも、エレベータロープ端末固定装置７の取り付けが簡易になる利点がある。
【００３４】
以上のようにして、マシンビーム２にエレベータロープ端末固定装置７を備えることによって、作業者のロープ端末固定作業位置が低くなり、従来に比べて作業性が向上する。
【００３５】
（第２の実施形態）
次に第２の実施形態について説明する。なお、上記第１の実施形態と同様な構成および作用については適宜省略する。
【００３６】
図８は本発明の第２の実施形態に使用されるＬ字ブラケットの取り付けを示す詳細図である。図９は本発明の第２の実施形態に係るエレベータロープ端末固定装置の取り付けを示す図である。図１０は本発明の第２の実施形態に係るエレベータロープ端末固定装置の異なる取り付け例を示す図である。
【００３７】
上述した第１の実施形態においては、ロープ端末固定位置７が、従来に比べ低い位置にあるため、ロープ端末固定作業の作業性が向上する。
【００３８】
上記第１の実施形態で述べた図５に示すようにマシンビーム２と昇降路１壁面との距離が近い場合でも、マシンビーム２とヒッチ取付ブラケット１２とを連結するためのボルト１７の取り付けを容易に行うことができる。
【００３９】
したがってマシンビーム２へのエレベータロープ端末固定装置７の取り付けを昇降路１壁面の影響を受けずに行うことができる構成であることを特徴としている。
【００４０】
具体的には、図８に示すように上述した第１の実施形態でのエレベータロープ端末固定装置７のヒッチフレーム９ｃ、９ｄに上述した手法と同様にして、詳細を後述するＬ字ブラケット１３を取り付けることにより、作業者にとってエレベータロープ端末固定装置７をマシンビーム２に備え付けやすい構成となっている。
【００４１】
以下、Ｌ字ブラケット１３とヒッチフレーム９ｃ、９ｄとの取り付けについて説明する。
【００４２】
本実施形態においてはヒッチフレーム９ｃ、９ｄに設けられた複数の連結孔１４のうち任意の連結孔１４と、Ｌ字ブラケット１３側面に設けられた連結孔１３１との取付位置によって、Ｌ字ブラケット１３の取り付け高さを任意に設定できる。ここでは図８に示すように、ヒッチフレーム９ｃ、９ｄに３つ設けられている連結孔１４のうち下２つの連結孔１４を利用してＬ字ブラケット１３を取り付けている。
【００４３】
次に図９を用いて、マシンビーム２と、ヒッチフレーム９ａ、９ｂおよびＬ字ブラケット１３との取り付けについて説明する。
【００４４】
Ｌ字ブラケット１３の上面には側面と同様に連結孔１３０が設けられており、この連結孔１４とマシンビーム２の下面に設けられる連結孔１３２とを上述した手法同様にボルト１７等で連結することで、昇降路１壁面との距離に関わらず、エレベータロープ端末固定装置７の取り付けができることになる。
【００４５】
本実施形態においてはヒッチフレーム９に設けられた複数の連結孔１４のうち任意の連結孔１４と、Ｌ字ブラケット１３側面に設けられた連結孔１３０およびマシンビーム２に設けられた連結孔１６、１３２との取付位置によって、エレベータロープ端末固定装置７の取り付け高さが任意に設定できる。
【００４６】
また、図１０に示すように、Ｌ字ブラケット１３上面の位置をヒッチフレーム９ｃ、９ｄの上端部と同等もしくはそれ以上になるようにＬ字ブラケット１３をヒッチフレーム９ｃ、９ｄに取付固定することで、エレベータロープ端末固定装置７を、よりマシンビーム２に取り付けやすくなる。
【００４７】
詳細には、エレベータロープ端末固定装置７をマシンビーム２へ取り付ける際に、図１０に示すように、エレベータロープ端末固定装置７をマシンビーム２に対して水平方向から取り付けることができるように、本実施形態においては、図８に示す連結孔１４のうち上２つを利用してヒッチフレーム９ｃ、９ｄにＬ字ブラケット１３を取り付けてＬ字ブラケット１３上面の位置をヒッチフレーム９ｃ、９ｄの上端部と同等以上となるようにしている。
【００４８】
このような構成にすることにより、作業者のエレベータロープ端末固定装置７の取り付け作業が鉛直下方向からの取り付けに比べて容易になる。
【００４９】
（第３の実施の形態）
次に第３の実施形態について説明する。
【００５０】
図１１は本発明の第３の実施形態に係るヒッチの詳細図である。
【００５１】
図１１に示すように、上記実施形態における連結孔１４同士をつなげることにより、結合連結孔１９とし、エレベータロープ端末固定装置７の取付位置の変更が容易になる。
【００５２】
結合連結孔１９は径を有する孔部分と孔部分をつなげる結合部分からなり、両部分は図示しないボルトの軸部分の径よりも大きい径および幅を有している。詳細は上記実施形態で述べた手法と同様のため省略するが、結合連結部１９の孔部分にボルトを差し込みナットによって固定することでマシンビーム２にエレベータロープ端末固定装置７を取り付けている。
【００５３】
そして、エレベータロープ端末固定装置７の取付位置の変更を行いたい場合には、固定されているボルトを軽く緩め、エレベータロープ端末固定装置７をボルトに対して横にスライドさせ任意の位置まで上下させることができる。
【００５４】
なお、取り付けられたエレベータロープ端末固定装置７が振動等によって孔部分から外れないように、本実施形態における孔部分は下部が凹状となるような孔とする。
【００５５】
また、図１１に示す形状のみならず、さまざまな形状で連結孔１９を構成してもよい。
【符号の説明】
【００５６】
１…昇降路
２…マシンビーム
３…巻上機
４…メインシーブ
５…かご
６…ロープ
７…エレベータロープ端末固定装置
８…カウンターウェイト
９ａ、９ｂ、９ｃ、９ｄ…ヒッチ
１０…ヒッチプレート
１１…プレート支持梁
１２ａ、１２ｂ…ヒッチ取付ブラケット
１３…L字ブラケット
１４、１５、１３０、１３１、１３２…連結孔
１６…取付孔
１７…ボルト
１８…仮置きシャフト
１９…結合連結孔
２１…貫通孔
【図１】
0005502568.tif 000002
【図２】
0005502568.tif 000003
【図３】
0005502568.tif 000004
【図４】
0005502568.tif 000005
【図５】
0005502568.tif 000006
【図６】
0005502568.tif 000007
【図７】
0005502568.tif 000008
【図８】
0005502568.tif 000009
【図９】
0005502568.tif 000010
【図１０】
0005502568.tif 000011
【図１１】
0005502568.tif 000012